(57)【要約】本発明は、ポータブル通信装置と通信し、通信網に接続されるよう適応された基地局であって：・ポータブル通信装置から番号を受信する手段と；・前記番号の値に従って以下の可能性、すなわち：ａ）前記番号が所定のコードに対応する場合：ｉ）当該基地局のレベルで、ある機能を作動させる、あるいはｉｉ）当該基地局の新しい構成設定を確立する、あるいはｉｉｉ）当該基地局についての情報を参照する、あるいはｂ）前記番号が所定のコードに対応しない場合、通信網へのコールまたはデータ送信がセットアップされる、のうちから選択をする手段とを有することを特徴とする、基地局に関する。本発明はまた通信方法にも関する。
2010521852.tif 000002
【特許請求の範囲】
【請求項１】
ポータブル通信装置と通信し、通信網に接続されるよう適応された基地局であって：
・ポータブル通信装置から番号を受信する手段と；
・前記番号の値に従って以下の可能性、すなわち：
ａ）前記番号が所定のコードに対応する場合：
ｉ）当該基地局のレベルで、ある機能を作動させる、あるいは
ｉｉ）当該基地局の新しい構成設定を確立する、あるいは
ｉｉｉ）当該基地局についての情報を参照する、あるいは
ｂ）前記番号が所定のコードに対応しない場合、通信網へのコールまたはデータ送信がセットアップされる、
のうちから選択をする手段とを有することを特徴とする、
基地局。
【請求項２】
前記番号が所定のコードに対応する場合には、当該基地局はオフフックせず、コールはセットアップされず、外部通信網にデータは送信されないことを特徴とする、請求項１記載の基地局。
【請求項３】
前記機能がボイス・メールであることを特徴とする、請求項１または２記載の基地局。
【請求項４】
前記ポータブル通信装置から前記機能に関係するコマンドを受信する手段と、これらのコマンドを実行する手段とを有することを特徴とする、請求項１ないし３のうちいずれか一項記載の基地局。
【請求項５】
前記ポータブル通信装置と前記通信網との間の接続をセットアップする手段をさらに有することを特徴とする、請求項１ないし４のうちいずれか一項記載の基地局。
【請求項６】
通信方法であって：
ａ）基地局と通信装置との間の接続をセットアップする段階を有し、
当該方法はさらに：
ｂ）前記基地局が、前記通信装置のレベルで事前ダイヤルされた番号を受信するためにTfミリ秒の期間待つ段階と；
ｃ）前記基地局が、受信した番号を調べ、以下の可能性、すなわち：
・前記番号が所定のコードに対応する場合：
ｉ）ある機能を作動させる、あるいは
ｉｉ）前記基地局の新しい構成設定を確立する、あるいは
ｉｉｉ）前記基地局についての情報を参照する、あるいは
・前記番号が所定のコードに対応しない場合、通信網へのコールまたはデータ送信がセットアップされる。
のうちから選択する段階とを有することを特徴とする、方法。
【請求項７】
請求項６記載の通信方法であって：
ｉ．前記番号が所定のコードに対応する場合には、前記基地局はオフフックせず、前記番号は電話網に送信されない、および／または
ｉｉ．前記番号が所定のコードに対応しない場合には、前記基地局はオフフックし、前記番号は電話網に送信される、
ことを特徴とする方法。
【請求項８】
前記機能がボイス・メールであることを特徴とする、請求項６または７記載の方法。
【請求項９】
当該方法がさらに、前記番号が所定のコードに対応する場合、前記ポータブル通信装置の少なくとも一つのコマンドを前記基地局に送信する段階と、これらのコマンドを基地局のレベルで実行する段階とを有することを特徴とする、請求項６ないし８のうちいずれか一項記載の方法。
【発明の詳細な説明】
【技術分野】
【０００１】
本発明は電気通信の領域に関する。
【０００２】
本発明はより詳細には、基地局および該基地局内での機能性の作動または非作動についてのポータブル通信装置と基地局との間の通信方法に関する。
【背景技術】
【０００３】
国内無線電話術の文脈、たとえばETSI  DECT（Digital  Enhanced  Cordless  Telecommunication［デジタル高度コードレス通信］）規格では、基地局〔ベース〕は一つまたは複数の端末〔ハンドセット〕に接続される。基地局は電話網にも接続される。
【０００４】
DECTでは一般アクセス・プロファイル（GAP:  Generic  Access  Profile）が定義されている。GAPは基本的なDECTプロファイルであり、基地局およびDECT端末に適用される。GAPは、DECT  GAP基地局とDECT  GAP端末との間の、最小限かつ必須の技術的な制約条件のセットを定義する。このプロファイルはETSI（European  Telecommunications  Standards  Institute［欧州電気通標準化機構］）によって確立された。各DECT互換装置は、機能するためには一つまたは複数のプロファイルをサポートしなければならない。
【０００５】
前記GAPセットは、端末を登録（または登録解除）し、電話のコール〔呼〕をかけるための一連の命令からなる。たとえば発信者番号の識別、統合ボイスメールまたは基地局のプログラミングといった追加的な機能はこのGAPセットの一部ではなく、標準化の対象ではない。
【０００６】
GAPの目的は、異なる製造業者の基地局と端末の間の相互運用性を提供することであるが、GAPは非常に基本的な機能しか網羅していない。
【０００７】
たとえば、端末から基地局内の統合ボイス・メール・システムへのアクセスは標準化されていない。異なる製造業者からの端末と基地局との間の互換性の大きな問題がある。製造業者F1の基地局における統合ボイス・メール機能は製造業者F2の端末からアクセスできないであろう。
【０００８】
さらに、従来技術の装置では、新しい機能が実装される必要があるときは、新しい個別のソフトウェアが端末用に開発されなければならなかった。
【発明の概要】
【発明が解決しようとする課題】
【０００９】
本発明が解決を提案する技術的課題は、端末が基地局に存在する機能へのアクセスをもつことを、たとえ端末と基地局が同じ製造業者からのものでなかったとしても、さらにそれらの機能がGAPプロファイルにおいて標準化されていなかったとしても、可能にすることにある。
【課題を解決するための手段】
【００１０】
基地局レベルでのコールのインターセプト（interception）を導入することによって、端末を「だまして」外部に接続されている（またはされていない）と思い込ませることによって特定のモードにはいり、基地局のレベルで音声および／またはテキスト案内にはいることが可能である。この動作は、発信者識別機能によって実現される：基地局はコールの宛先を認識し、それによりこのコールをインターセプトすることができる。これは、端末が、基地局レベルで存在しているあらゆる機能へのアクセスが与えられることを、たとえ端末がそれらの機能の存在に気づいていないとしても、許容する。これはまた、他の製造業者の端末が使われることも可能にする。
【００１１】
好ましくは、基地局レベルでのコールのインターセプトは、事前ダイヤル・モードを使うことによって実現される。これにより「誤ったトリガー」が回避できるようになる。
【００１２】
本発明は、その最も広く受け容れられる意味において、ポータブル通信装置と通信し、通信網に接続されることができる基地局であって：
・ポータブル通信装置から番号を受信する手段と；
・前記番号の値に従って以下の可能性のうちから選択をする手段とを有する：
ａ）前記番号が所定のコードに対応する場合：
ｉ）当該基地局のレベルである機能を作動させる、あるいは
ｉｉ）当該基地局の新しい構成設定を確立する、あるいは
ｉｉｉ）当該基地局についての情報を参照する、あるいは
ｂ）前記番号が所定のコードに対応しない場合、通信網へのコールまたはデータ送信がセットアップされる。
【００１３】
好ましくは、前記番号が所定のコードに対応する場合には、前記基地局はオフフック（off-hook）せず、コールはセットアップされず、外部通信網にデータは送信されない。
【００１４】
ある実施形態によれば、前記機能はボイス・メールである。
【００１５】
有利には、前記基地局は前記ポータブル通信装置からの前記機能に関係するコマンドを受信する手段と、これらのコマンドを実行する手段とを有する。
【００１６】
好ましくは、前記基地局はさらに、前記ポータブル通信装置と前記通信網との間の接続をセットアップする手段を有する。
【００１７】
本発明はまた、通信方法であって：
ａ）基地局と通信装置との間の接続をセットアップする段階を有し、
当該方法はさらに：
ｂ）前記基地局が前記通信装置から番号を受信するのにTfミリ秒の期間待つ段階と；
ｃ）前記基地局が受信した番号を調べ、以下の可能性のうちから選択する段階とを有する：
・前記番号が所定のコードに対応する場合：
ｉ）ある機能を作動させる、あるいは
ｉｉ）前記基地局の新しい構成設定を確立する、あるいは
ｉｉｉ）前記基地局についての情報を参照する、あるいは
・前記番号が所定のコードに対応しない場合、通信網へのコールまたはデータ送信がセットアップされる。
【００１８】
好ましくは：
ｉ．前記番号が所定のコードに対応する場合には、前記基地局はオフフックせず、前記番号は電話網に送信されない、および／または
ｉｉ．前記番号が所定のコードに対応しない場合には、前記基地局はオフフックし、前記番号は電話網に送信される。
【００１９】
ある実施形態によれば、前記機能はボイス・メールである。
【００２０】
ある個別的な実装によれば、Tfは285msから315msの間に含まれることができる。この値は、適用に応じて変わることができる。
【００２１】
有利には、前記通信方法はさらに、前記番号が所定のコードに対応する場合、前記ポータブル通信装置の少なくとも一つのコマンドを前記基地局に送信する段階と、これらのコマンドを基地局のレベルで実行する段階とを有する。
【００２２】
本発明は、付属の図面を参照して例として与えられる本発明の実施形態の以下の記述からよりよく理解されるであろう。
【図面の簡単な説明】
【００２３】
【図１】一つのポータブル装置（EP:  portable  equipment）または端末を示す図である。
【図２】基地局またはアクセス・ポイント（PA:  access  point）を示す図である。
【図３】アクセス・ポイント・アーキテクチャ（PA‐基地局）＜−＞ポータブル装置（EP‐端末）アーキテクチャを示す図である。
【図４】時間の関数として、ポータブル装置（EP）のレベルである番号をダイヤルする段階と、この番号をアクセス・ポイント（PA）に送信する段階と、アクセス・ポイント（PA）によってある機能を作動させるまたは作動させない段階とを有するプロセスを示す図である。
【発明を実施するための形態】
【００２４】
ポータブル装置（EP）または端末は、無線通信手段によって、電話網を通じて通信できる基地局またはアクセス・ポイント（PA）にリンクされる。
【００２５】
図１に示されるポータブル装置EP（１０）は、部分的には、以下の要素および機能からなる：
・一組の入出力周辺装置（１１）：ディスプレイ、キーボード、スピーカー、
・プロセッサ（１２）、
・前記コードおよび当該装置の動作を保証するソフトウェア・データを含む不揮発性メモリ（１３）、
・時間的に「可変」であるデータを含む揮発性メモリ（１４）、
・基地局への接続のための無線リンク（１５）、
・当該装置の電源を保証するエネルギー蓄積ブロック（１６）。
【００２６】
図２に示される基地局（またはアクセス・ポイントPA）は、部分的には、以下の要素および機能によって構成される：
・プロセッサ（２２）、
・前記コードおよび当該基地局の動作を保証するソフトウェア・データを含む不揮発性メモリ（２３）、
・時間的に「可変」であるデータを含む揮発性メモリ（２４）、
・端末への接続のための無線リンク（２５）、
・当該装置の電源を保証するエネルギー蓄積ブロック（２６）、
・電話網へのアクセスのための有線リンク（２７）。
【００２７】
図３に示される本システムの一般的なアーキテクチャは、以下の要素からなる：
・無線リンクを介して次記の基地局２０に接続されるポータブル装置EP（１０）と、
・それ自身、電話網３０にリンクされる基地局２０。
【００２８】
基地局２０とポータブル装置EP１０との間のリンクはたとえばDECT、Wi-Fiまたはブルートゥース型であることができる。
【００２９】
以下、本発明について、ボイス・メールのコンテキストの範囲内で記載する。本発明は、ボイス・メールだけでなく、基地局上のいかなる機能にも適用できることが理解される。
【００３０】
本発明のコンテキスト内において、ポータブル装置はアクセス・ポイントに所定のコードを送る。該所定のコードはアクセス・ポイントによって認識され、アクセス・ポイントのレベルでボイス・メール機能の立ち上げをトリガーする。たとえば、ポータブル装置上で＊＊を事前ダイヤルしてから続いてダイヤル・ボタンを押すことが可能である。アクセス・ポイントは、ダイヤルすることなく、かつアクセス・コードを要求することなく、リモート・アクセス・モードをトリガーする。
【００３１】
よって、ポータブル装置は、該ポータブル装置用の個別的なソフトウェア・アプリケーションを開発する必要なく、アクセス・ポイント上で音声メッセージを参照し、音声告知を記録することができる。どんな製造業者からのどんなGAP互換DECTポータブル装置もアクセス・ポイントのボイス・メールと相互運用できる。ポータブル装置はたとえば、アクセス・ポイントのボイス・メールと、音声ガイドによって対話できる。音声ガイドは、ポータブル装置のイヤホンまたはスピーカーで再生され、ユーザーにボイス・メールを使うための案内を与える。するとユーザーは、ポータブル装置のキーを押して、メッセージの再生、メッセージの消去、告知の記録などといったボイス・メールの種々の機能にアクセスすることができる。
【００３２】
表１は、ポータブル装置のキーパッドを使うことによってユーザーがアクセスをもつボイス・メールの機能の例を示している。
【００３３】
【表１】
2010521852.tif 000003
すべてのGAP互換端末は、フックオフすることなくある番号をダイヤルできるようにする事前ダイヤル（pre-dialling）機能をもつ。
【００３４】
事前ダイヤルの場合、基地局（アクセス・ポイント）と端末（ポータブル装置）との間の通信は次のようにセットアップされる：
１）端末と基地局との間で接続がセットアップされる、
２）端末が基地局に事前ダイヤルされた番号を送る、
３）基地局によってその番号が抽出され、基地局はフックオフする、
４）基地局がトーンを待つ、
５）基地局がその番号を電話網に送る。
【００３５】
基地局がボイス・メールまたはその基地局に存在する他の何らかの機能を作動させるコードを認識できるようにするためには、基地局のソフトウェアは、上記の動作とは異なる動作にはいらなければならない。
【００３６】
ひとたび端末と基地局との間に接続が確立されると、基地局は次の動作モードにはいる：
１）前記番号を受信するのにTfミリ秒、たとえば300msの期間待つ
２）受信した番号を調べ、以下の可能性のうちから選択する
ａ）前記番号が所定のコードに対応する場合、基地局はボイス・メール（または他の機能）を作動させる。基地局はフックオフせず、番号は電話網に送られない。
【００３７】
ｂ）前記番号が所定のコードに対応しない場合、基地局はボイス・メール（またはその所定のコードに対応する他の機能）を作動させない。基地局はフックオフし、その番号が電話網に送られる。
【００３８】
受信したコードが所定のコードに対応する場合、ある機能を作動させる代わりに、基地局の新しい構成をセットアップする、あるいはまた基地局上の情報参照動作を実行することも可能である。
【００３９】
基地局の新しい構成のセットアップには、受け取り確認が続いても続かなくてもよい。この受け取り確認は視覚的でも可聴でもよく、基地局上でも端末上でもよい。
【００４０】
基地局上の情報の参照にも、基地局上または端末上の視覚的または可聴な受け取り確認が続いても続かなくてもよい。
【００４１】
図４は、時間の関数として、端末のレベルである番号をダイヤルする段階と、この番号を基地局に送信する段階と、基地局によってある機能を作動させるまたは作動させない段階とを有するプロセスを示している。
【００４２】
図４において、
・T0は、ある番号とともに通信セットアップ要求が基地局に送信される時点を示す。
・T1は、端末と基地局との間の接続がセットアップされる時点を示す。接続がセットアップされた後まもなく番号が基地局に送信される。
Tfミリ秒にわたって、基地局は待ち、次いで端末によって送られた番号を解析する。
・Tfミリ秒後の時刻T2には、基地局は、受信した番号が所定のコードに一致していれば、端末上でボイス・メールの音声ガイドを作動させることを決定し、そうでなく受信した番号が所定のコードに一致していなければその番号を電話網に送る。
【００４３】
よって、ボイス・メールの音声ガイドが端末上で再生されるのは、受信した番号が所定のコードに一致する場合のみである。
【００４４】
特定の実装では、番号が送られるのが、番号の解析に割り当てられている時間期間より前または後である場合、コードは認識されないことがありうる。結果として、ボイス・メールまたは他の機能は端末のレベルで作動されない。
【００４５】
番号が認識される場合、端末は基地局にデータを送ることを続け、基地局によって受信されるこのデータは、基地局のレベルではコマンドと考えられ、基地局はそれを実行する。
【００４６】
ある機能の実行の際、基地局は、選ばれた実装に応じて、コールを受け付けるのに利用可能であってもよいし、あるいは利用可能でなくてもよい。ボイス・メールの場合、その「インターセプトされた」端末だけが基地局との通信の時に外部コールを受け付けるために利用可能でないと考えることができる。
【００４７】
本発明は、ボイス・メールだけでなく基地局に統合された任意の機能にも適用される。たとえば、ロシアでは、発信者の番号を識別するために、その番号の要求数、この要求の継続時間等を修正することが必要になることがある。各構成設定パラメータを、この基地局上の一意的な番号によって呈示することが可能である。たとえば試行回数を変えるには、#0000#12が端末上で事前ダイヤルされる。ここで、0000は基地局構成設定へのアクセス・コードに対応する。1は構成設定パラメータ第１番――試行回数――に対応し、２はその新しい値――その番号を決定するための試行回数――に対応する。この使用は、その端末について各国に固有なソフトウェア・アプリケーションを開発する必要なく、同じ端末がいくつかの国において適応されることができるようにする。
【００４８】
各国において、オフフック時とダイヤルとの間の待ち時間は標準化されている。しかしながら、基地局はPABXの背後にあってもよく、この場合、標準化された待ち時間は十分ではない。事前ダイヤルのために、最初の数桁は電話網を通じて送られない。PABXは電話網とのリンクをセットアップするのにずっと多くの時間がかかるからである。この待ち時間を修正するために、ダイヤルする前の待ち時間が番号５によって同定されねばならないと考えることにする。ダイヤルする前の待ち時間は３秒であり、接続を確立するために、これは４秒に変更されなければならない。このために、##5#4#が端末上で事前ダイヤルされる、「オフフック」キーが押される。このシーケンスが基地局に送信され、インターセプトされ、待ち時間は３秒から４秒に変わる。
「##」は構成設定開始シーケンスに対応する。
5はパラメータ番号5――ダイヤルする前の待ち時間――に対応する。
#はパラメータの番号とその値との間の区切りに対応する。
4は待ち時間――４秒――に対応する。
#は構成設定シーケンスを終了する。
【００４９】
本発明は、以上のテキストにおいて例として記載されている。当業者は本特許の範囲を外れることなく本発明の変形を生成できることは理解される。
【図１】
2010521852.tif 000004
【図２】
2010521852.tif 000005
【図３】
2010521852.tif 000006
【図４】
2010521852.tif 000007
【国際調査報告】
2010521852.tif 000008
2010521852.tif 000009
2010521852.tif 000010
2010521852.tif 000011
2010521852.tif 000012
2010521852.tif 000013